(57)【特許請求の範囲】
【請求項１】
ヒンジ部の回転軸を介して開閉自在なディスプレイパネル部と、
前記ディスプレイパネル部を貫通した機器収納用の穴部と、
前記穴部に設けられ、前記機器を前記穴部へ嵌め込む方向が、前記ディスプレイパネル部のディスプレイ画面側であるか、またはその裏面側からであるかによらず、前記穴部に収納された前記機器を保持する保持機構とを備えた移動体用情報機器。
【請求項２】
前記ディスプレイパネル部は、直交した回転軸によるヒンジ部を介して開閉自在および回転自在であることを特徴とする請求項１記載の移動体用情報機器。
【請求項３】
音声出力部を有する機器が前記穴部に収納されたことを検出する収納検出部と、
前記収納検出部が前記機器の収納を検出した場合に、当該収納された機器の音声出力部に音声信号の出力先を切り替える切替部とを備えたことを特徴とする請求項１または請求項２記載の移動体用情報機器。
【発明の詳細な説明】
【技術分野】
【０００１】
この発明は、車両などの移動体に搭載されるディスプレイを備えた移動体用情報機器に関する。
【背景技術】
【０００２】
例えば、特許文献１には、入力操作を行うメインボタンと、操作内容を表示する表示部と、電子機器の主要な操作をまとめたサブリモコンが嵌合して装着される凹部を備えた電子機器のリモコンが開示されている。このリモコンは、別体のサブリモコンを凹部に装着することにより、当該サブリモコンを一体に搬送できる。
【先行技術文献】
【特許文献】
【０００３】
【特許文献１】特開平９−１３０８７９号公報
【発明の概要】
【発明が解決しようとする課題】
【０００４】
車両室内の天井面に取り付ける車載用ディスプレイなどの移動体用情報機器は、一般に入力操作を行うリモコンや音響を聞くためのヘッドホンを収納する機構が設けられておらず、利用者が使用しようとする際に、見当たらなくなる場合があり、車両室内を探し回らねばならないという課題があった。また、リモコンやヘッドホンが情報機器と別体であると、それぞれを別々に搬送するか、１つに梱包して搬送しなければならないため、搬送作業に手間がかかる。【０００５】
なお、特許文献１のように、リモコンを装着する機構を設ければ一体で搬送することができる。しかしながら、特許文献１に代表される従来の技術では、サブリモコンの操作面が必ずメインリモコンの所定の面に向くように装着される。すなわち、サブリモコン等を装着する態様が常に一定である。このため、サブリモコンの操作が画一的になり、利便性が低いという課題がある。【０００６】
この発明は、上記のような課題を解決するためになされたもので、リモコンおよびヘッドホンなどの機器を一体に収納でき、かつ当該機器の利便性を向上させることができる移動体用情報機器を得ることを目的とする。
【課題を解決するための手段】
【０００７】
この発明に係る移動体用情報機器は、ヒンジ部の回転軸を介して開閉自在なディスプレイパネル部と、前記ディスプレイパネル部を貫通した機器収納用の穴部と、前記穴部に設けられ、前記機器を前記穴部へ嵌め込む方向が、前記ディスプレイパネル部のディスプレイ画面側であるか、またはその裏面側からであるかによらず、前記穴部に収納された前記機器を保持する保持機構とを備える。
【発明の効果】
【０００８】
この発明によれば、リモコンおよびヘッドホンなどの機器を一体に収納でき、かつ当該機器の利便性を向上させることができるという効果がある。
【図面の簡単な説明】
【０００９】
【図１】この発明の実施の形態１に係る車載用ディスプレイ装置を示す斜視図（ディスプレイ開）である。
【図２】実施の形態１に係る車載用ディスプレイ装置を示す斜視図（ディスプレイ閉）である。
【図３】リモコンおよびヘッドホンを収納した車載用ディスプレイ装置を示す斜視図（ディスプレイ開）である。
【図４】リモコンおよびヘッドホンの保持機構を示す断面図である。
【図５】実施の形態１に係る車載用ディスプレイ装置で使用するリモコンの外観を示す斜視図である。
【図６】実施の形態１に係る車載用ディスプレイ装置で使用するヘッドホンの外観を示す斜視図である。
【図７】リモコンおよびヘッドホンを収納した車載用ディスプレイ装置を示す斜視図（ディスプレイ閉）である。
【図８】車載用ディスプレイ装置におけるリモコンおよびヘッドホンの他の収納形態を示す斜視図（ディスプレイ開）である。
【図９】リモコン機能を有するヘッドホンを収納した車載用ディスプレイ装置を示す斜視図（ディスプレイ開）である。
【図１０】この発明の実施の形態２に係る車載用ディスプレイ装置を示す斜視図（ディスプレイ開）である。
【図１１】出力信号切り替え回路の構成を示す図である。
【図１２】この発明の実施の形態３に係る車載用ディスプレイ装置を示す斜視図（ディスプレイ開）である。
【図１３】実施の形態３に係る車載用ディスプレイ装置を示す斜視図（ディスプレイ閉）である。
【発明を実施するための形態】
【００１０】
以下、この発明をより詳細に説明するため、この発明を実施するための形態について、添付の図面に従って説明する。
実施の形態１．
図１は、この発明の実施の形態１に係る車載用ディスプレイ装置を示す斜視図（ディスプレイ開）であり、この発明に係る移動体用情報機器の概念を車載用のディスプレイ装置に適用した場合を示している。また、図２は、実施の形態１に係る車載用ディスプレイ装置を示す斜視図（ディスプレイ閉）である。車載用ディスプレイ装置１は、支持筐体部４が車両室内の天井面に取り付けられ、図１および図２に示すように、ディスプレイパネル部２が、支持筐体部４に対して開閉自在に支持される。すなわち、ディスプレイパネル部２は、支持筐体部４の左右に設けた一対のヒンジ部５ａ，５ｂに支持されており、ヒンジ部５ａ，５ｂの回転軸を介して矢印Ａの方向に開閉する。
【００１１】
ディスプレイパネル部２のディスプレイ画面３の両側には、図１および図２に示すように、ディスプレイパネル部２の表裏（例えば、ディスプレイ画面３を表面、その背面を裏面とする）を貫通した収納用穴部６ａ，６ｂが形成されている。
また、クランパー７は、収納用穴部６ａ，６ｂの内壁面部に設けられ、収納用穴部６ａ，６ｂに嵌め込んだ収納機器を保持する。なお、収納機器は、車載用ディスプレイ装置１への操作または情報出力に使用される機器であり、例えばリモコンやヘッドホンが挙げられる。以降では、収納機器がリモコンおよびヘッドホンであるものとして説明する。
【００１２】
図３は、リモコンおよびヘッドホンを収納した車載用ディスプレイ装置を示す斜視図（ディスプレイ開）である。図３に示すように、収納機器であるリモコン８を収納用穴部６ｂに嵌め込み、収納機器であるリモコン８を収納用穴部６ｂに嵌め込むことで、リモコン８およびヘッドホン９がディスプレイパネル部２に収納される。なお、図３の例では、リモコン８およびヘッドホン９を図３の矢印の方向から収納用穴部６ｂ，６ａにそれぞれ嵌め込むことにより、リモコン８の操作ボタン側およびヘッドホン９のハウジング側がディスプレイ画面３側に向けて収納されている。
【００１３】
次に、収納用穴部６ａ，６ｂにおける機器の保持機構について説明する。
図４は、リモコンおよびヘッドホンの保持機構を示す断面図であり、図３のＢ−Ｂ線に沿った断面を概略的に示している。図４に示すように、ディスプレイパネル部２の収納用穴部６ａ，６ｂの内壁部には、穴部７ａ（図１および図２の例では、１つの収納用穴部につき４箇所）が形成されており、穴部７ａを介してクランパー７が収納用穴部６ａ，６ｂの内壁部から突出している。クランパー７は、先端が窄まったテーパ形状を有しており、ディスプレイパネル部２の内部に設けたばね１０により収納用穴部の内壁面から突出する方向に付勢されている。また、収納機器であるリモコン８およびヘッドホン９には、凹部１１が形成されている。凹部１１は、底が窄まったテーパ形状の穴部である。
【００１４】
リモコン８およびヘッドホン９を収納用穴部６ａ，６ｂに押し付けると、クランパー７が、一旦ばね１０の付勢力に抗してディスプレイパネル部２の内部方向に沈み、その後、先端がリモコン８およびヘッドホン９の側面部に当接する。この状態でさらにリモコン８およびヘッドホン９を嵌め込み、クランパー７の先端がリモコン８およびヘッドホン９の側面部に設けた凹部１１に到達すると、クランパー７の先端が凹部１１に嵌り込む。このとき、ばね１０の付勢力でクランパー７の先端が凹部１１の内壁部に押し付けられる。
これにより、リモコン８およびヘッドホン９は、収納用穴部６ａ，６ｂに収納された状態で保持される。例えば、図１及び図２では、リモコン８またはヘッドホン９が４箇所のクランパー７により保持される。
【００１５】
ここで、収納機器について説明する。
図５は、実施の形態１に係る車載用ディスプレイ装置で使用するリモコンの外観を示す斜視図である。また、図６は、実施の形態１に係る車載用ディスプレイ装置で使用するヘッドホンの外観を示す斜視図である。図５および図６に示すように、リモコン８およびヘッドホン９の側面部には、クランパー７で保持するための凹部１１が形成されている。
なお、リモコン８は、操作ボタン部１２のボタンを押下することにより、車載用ディスプレイ装置１を操作できる。
ヘッドホン９は、図６（ａ）に示すように伸縮部１３を畳んだ状態で収納用穴部６ａ，６ｂに収納される。また、ヘッドホン９は、図６（ｂ）に示すように伸縮部１３を延ばすことにより、耳当て部１４が対向した状態となる。この状態でユーザに使用される。
【００１６】
次に、収納機器の収納用穴部への収納態様について説明する。
図７は、リモコンおよびヘッドホンを収納した車載用ディスプレイ装置を示す斜視図（ディスプレイ閉）である。図８は、車載用ディスプレイ装置におけるリモコンおよびヘッドホンの他の収納形態を示す斜視図（ディスプレイ開）である。
収納用穴部６ａ，６ｂは、ディスプレイパネル部２を貫通した穴部であるので、ディスプレイパネル部２を支持筐体部４側に閉じた状態で、図７の矢印方向にリモコン８およびヘッドホン９を収納用穴部６ｂ，６ａに嵌め込んで収納することができる。このように、ディスプレイパネル部２を閉じた状態であっても、リモコン８およびヘッドホン９を収納することができ、リモコン８による操作も可能である。
【００１７】
また、リモコン８は、操作ボタン部１２をディスプレイ画面３側に向けて収納してもよいが、図８（ａ）に示すように背面側をディスプレイ画面３側に向けて収納してもよい。このとき、ディスプレイパネル部２の後方側（ディスプレイ画面３とは逆側）から、操作ボタン部１２を操作することができる。リモコン８の収納方向を変えるだけで、例えば、運転席側から操作と後部座席側からの操作を切り替え可能であり、収納機器であるリモコン８の利便性を向上させることができる。
また、収納用穴部６ａ，６ｂは、ディスプレイパネル部２を表裏に貫通する穴部であるので、収納機器を収納しない状態では、ディスプレイパネル部２を開閉するときの操作グリップとしても利用可能である。
なお、ヘッドホン９についても、ハウジング側をディスプレイ画面３側に向けて収納してもよいが、図８（ａ）に示すように耳当て部１４をディスプレイ画面３側に向けて収納してもよい。
【００１８】
さらに、収納用穴部６ａ，６ｂは同様の保持機構を有するので、リモコン８およびヘッドホン９を左右入れ替えて収納してもよい。すなわち、収納用穴部６ａ，６ｂのクランパー７の間隔とリモコン８およびヘッドホン９の凹部１１の間隔とが同じになるように形成することで、図８（ｂ）に示すようにリモコン８を収納用穴部６ａに収納し、ヘッドホン９を収納用穴部６ｂに収納することも可能である。ユーザは、いずれの収納用穴部６ａ，６ｂに対しても、リモコン８またはヘッドホン９を同様に嵌め込むことで容易に収納することができる。
【００１９】
図９は、リモコン機能を有するヘッドホンを収納した車載用ディスプレイ装置を示す斜視図（ディスプレイ開）である。図９に示すヘッドホン９Ａは、ハウジング側に操作ボタン部１６が設けられている。この操作ボタン部１６は、ヘッドホン９Ａをリモコン８と同様に機能させる。つまり、ヘッドホン９Ａは、耳当て部１４から音声出力するための回路とリモコンとして機能させるための回路をハウジングの内部に有しており、操作ボタン部１６を操作することで、車載用ディスプレイ装置１における映像表示や選局などを実行できる。
【００２０】
以上のように、この実施の形態１によれば、ヒンジ部５ａ，５ｂの回転軸を介して開閉自在なディスプレイパネル部２と、ディスプレイパネル部２を貫通した収納用穴部６ａ，６ｂと、収納用穴部６ａ，６ｂに設けられ、当該収納用穴部６ａ，６ｂに嵌めて収納された収納機器を保持する保持機構とを備える。このように構成することで、リモコンおよびヘッドホンなどの機器を一体に収納できる。また、収納用穴部６ａ，６ｂに収納した状態でも使用可能なことから、当該機器の利便性を向上させることができる。
【００２１】
また、この実施の形態１によれば、保持機構が、機器を収納用穴部６ａ，６ｂへ嵌め込む方向が、ディスプレイパネル部２のディスプレイ画面３側であるか、またはその裏面側からであるかによらず、収納用穴部６ａ，６ｂに収納された機器を保持する。このように構成することで、機器を収納する方向によって、ディスプレイパネル部２のディスプレイ画面３側からの機器操作が可能であり、反対にその裏面側からの機器操作も可能となる。これにより、機器の利便性を向上させることができる。
【００２２】
実施の形態２．
実施の形態２では、収納機器を外部スピーカとして利用した車載用ディスプレイ装置について説明する。
図１０は、この発明の実施の形態２に係る車載用ディスプレイ装置を示す斜視図（ディスプレイ開）である。図１０（ａ）に示す例は、ヘッドホン９を外部スピーカとして利用した車載用ディスプレイ装置１Ａを示している。この場合、２つのヘッドホン９を、耳当て部１４がディスプレイ画面３側に向くように、ディスプレイパネル部２Ａの収納用穴部６ａ，６ｂにそれぞれ収納する。ディスプレイパネル部２Ａは、収納用穴部６ａ，６ｂへのヘッドホン９の収納が検出されると、外部スピーカ用の音声出力信号がヘッドホン９に出力される出力音声切替回路を有する。
【００２３】
図１０（ｂ）に示す例は、スピーカ付きのリモコン８Ａを利用した車載用ディスプレイ装置１Ａを示している。リモコン８Ａは、内蔵のスピーカ１５を有するリモコンである。例えば、ユーザが手元で車載用ディスプレイ装置１Ａの音声を聞く場合に使用される。
車載用ディスプレイ装置１Ａにおいて、２つのリモコン８Ａを、スピーカ１５がディスプレイ画面３側に向くように、ディスプレイパネル部２Ａの収納用穴部６ａ，６ｂにそれぞれ収納する。ディスプレイパネル部２Ａは、収納用穴部６ａ，６ｂへのリモコン８Ａの収納が検出されると、出力音声切替回路により外部スピーカ用の音声出力信号がリモコン８Ａのスピーカ１５に出力される。
【００２４】
図１１は、上述した出力信号切り替え回路の構成び一例を示す図である。図１１に示すように、出力音声切替回路１７は、ディスプレイパネル部２Ａまたは支持筐体部４の内部に設けられ、車載用ディスプレイ装置１Ａで再生された音声の出力先を切り替える回路であり、切替部１８、アンプ部１９、収納検出部２０および出力部２１を備える。
切替部１８は、収納検出部２０による検出結果に応じて音声入力信号の出力先を切り替える構成部である。アンプ部１９は、外部スピーカ２２または収納用穴部６ａ，６ｂに収納されたリモコン８Ａ、ヘッドホン９に出力する音声出力信号を増幅する。収納検出部２０は、ディスプレイパネル部２Ａの収納用穴部６ａ，６ｂへの収納機器の収納を検出する検出部である。例えば、収納機器を収納用穴部６ａ，６ｂに収納した際に、アンプ部１９からの音声信号出力端子と収納機器の音声信号入力端子との接続を検出する。出力部２１は、収納用穴部６ａ，６ｂに収納された状態でない通常使用時のリモコン８Ａおよびヘッドホン９へ音声を出力する。例えば、Ｂｌｕｅｔｏｏｔｈ（登録商標）などの近距離無線通信で音声信号を送信する。
外部スピーカ２２は、車載用ディスプレイ装置１Ａとは別に設けたスピーカであり、例えば車両室内に設けた車内スピーカである。
【００２５】
次に動作について説明する。
（１）通常の音声出力の場合
車載用ディスプレイ装置１Ａが、外部スピーカ２２で音声を出力する動作モードに設定されている場合、切替部１８は、音声入力信号の出力先を外部スピーカ２２への経路に切り替える。これにより、アンプ部１９で増幅された音声信号が、外部スピーカ２２で音声出力される。
また、車載用ディスプレイ装置１Ａが、ディスプレイパネル部２Ａに収納していない状態のリモコン８Ａまたはヘッドホン９で音声を出力する動作モードに設定されている場合には、切替部１８が、音声入力信号の出力先を出力部２１への経路に切り替える。出力部２１は、入力した音声信号をリモコン８Ａのスピーカ１５またはヘッドホン９に適した出力レベルに調整して、リモコン８Ａまたはヘッドホン９に出力する。これにより、音声信号が、リモコン８Ａのスピーカ１５またはヘッドホン９で音声出力される。
【００２６】
（２）収納機器での音声出力の場合
図１０（ａ）に示したように、ヘッドホン９を収納用穴部６ａ，６ｂにそれぞれ収納するか、１０（ｂ）に示したように、リモコン８Ａを収納用穴部６ａ，６ｂにそれぞれ収納すると、収納検出部２０が、リモコン８Ａまたはヘッドホン９の収納を検出し、その検出情報が切替部１８へ送られる。切替部１８は、リモコン８Ａまたはヘッドホン９が収納されたことを示す検出情報を受け取ると、音声入力信号の出力先を、収納されたリモコン８Ａまたはヘッドホン９への経路に切り替える。これにより、アンプ部１９で増幅された音声信号が、リモコン８Ａのスピーカ１５またはヘッドホン９で音声出力される。
【００２７】
以上のように、この実施の形態２によれば、スピーカ１５などの音声出力部を有する機器が収納用穴部６ａ，６ｂに収納されたことを検出する収納検出部２０と、収納検出部２０が機器の収納を検出した場合に、当該収納された機器の音声出力部に音声信号の出力先を切り替える切替部１８とを備える。ディスプレイパネル部２Ａに形成した収納用穴部６ａ，６ｂによって、上記実施の形態１と同様にリモコン８Ａおよびヘッドホン９を一体に収納できる。また、リモコン８Ａのスピーカ１５またはヘッドホン９を収納された状態で音声出力できるので、リモコン８Ａおよびヘッドホン９の利便性をさらに向上させることができる。
【００２８】
実施の形態３．
上記実施の形態１，２では、ディスプレイパネル部が、支持筐体部に設けた左右一対のヒンジ部の軸を介して開閉する構成を示したが、この実施の形態３は、２軸ヒンジ部でディスプレイパネル部を支持して、ディスプレイパネル部が開閉および回転する構成について説明する。
【００２９】
図１２は、この発明の実施の形態３に係る車載用ディスプレイ装置を示す斜視図（ディスプレイ開）である。図１２に示すように、実施の形態３に係る車載用ディスプレイ装置１Ｂは、ディスプレイパネル部２Ｂが、２軸ヒンジ部５ｃを介して支持筐体部４に取り付けられている。２軸ヒンジ部５ｃは、直交した２つの回転軸を有している。ディスプレイパネル部２Ｂは、２軸ヒンジ部５ｃにおける左右方向の回転軸を介して矢印Ａ方向に開閉し、これに直交する回転軸を介して矢印Ｃ方向に回転可能である。
【００３０】
ディスプレイパネル部２Ｂには、上記実施の形態１，２と同様にディスプレイ画面３の両側に、ディスプレイパネル部２Ｂの表裏を貫通した収納用穴部６ａ，６ｂが形成されている。従って、収納用穴部６ａ，６ｂを操作グリップとして使用することで、ディスプレイパネル部２Ｂの開閉および回転を容易に行うことができる。
また、収納用穴部６ａ，６ｂに実施の形態１と同様の保持機構を設けることで、ユーザは、いずれの収納用穴部６ａ，６ｂに対しても、収容機器を同様に嵌め込むことで容易に収納することができる。例えば、異なる収容機器を左右入れ替えて収納することができ、ディスプレイパネル部２Ｂの表面側から収納してもよく、裏面側から収納してもよい。
【００３１】
図１３は、実施の形態３に係る車載用ディスプレイ装置を示す斜視図（ディスプレイ閉）である。図１３に示す例は、ディスプレイパネル部２Ｂを、２軸ヒンジ部５ｃを介して回転させて表裏を逆にした状態で閉じた場合を示している。このように、ディスプレイパネル部２Ｂを閉じた状態であっても、リモコン８およびヘッドホン９を収納することができ、リモコン８による操作も可能である。車載用ディスプレイ装置１Ｂは、車両室内の天井面に取り付けられるディスプレイであるので、図１３のような状態にすることにより、例えば、座席シートを倒して寝た状態での視聴が可能になる。
【００３２】
以上のように、この実施の形態３によれば、ディスプレイパネル部２Ｂが、直交した回転軸による２軸ヒンジ部５ｃを介して開閉自在および回転自在である。このディスプレイパネル部２Ｂにおいても、収納用穴部６ａ，６ｂによって上記実施の形態１と同様にリモコン８およびヘッドホン９を一体に収納できる。また、ディスプレイパネル部２Ｂを回転させた状態での利用も可能であるので、リモコン８およびヘッドホン９の利便性をさらに向上させることができる。
【００３３】
上記実施の形態１〜３は、本発明に係る移動体用情報機器の概念を車載用のディスプレイ装置に適用した場合を示したが、これに限定されるものではない。例えば、鉄道、船舶または航空機などの乗客室内のエンターティメントシステムに適用してもよい。
【００３４】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３５】
この発明に係る移動体用情報機器は、リモコンおよびヘッドホンなどの機器を一体に収納でき、かつ機器の利便性を向上させることができるので、車載用のディスプレイ装置に好適である。
【符号の説明】
【００３６】
１，１Ａ，１Ｂ  車載用ディスプレイ装置、２，２Ａ，２Ｂ  ディスプレイパネル部、３  ディスプレイ画面、４  支持筐体部、５ａ，５ｂ  ヒンジ部、５ｃ  ２軸ヒンジ部、６ａ，６ｂ  収納用穴部、７  クランパー、８，８Ａ  リモコン、９，９Ａ  ヘッドホン、１０  ばね、１１  凹部、１２，１６  操作ボタン面、１３  伸縮部、１４  耳当て部、１５，２２  スピーカ、１７  出力信号切り替え回路、１８  切替部、１９  アンプ部、２０  収納検出部、２１  出力部。
【図１】
0005456210.tif 000002
【図２】
0005456210.tif 000003
【図３】
0005456210.tif 000004
【図４】
0005456210.tif 000005
【図５】
0005456210.tif 000006
【図６】
0005456210.tif 000007
【図７】
0005456210.tif 000008
【図８】
0005456210.tif 000009
【図９】
0005456210.tif 000010
【図１０】
0005456210.tif 000011
【図１１】
0005456210.tif 000012
【図１２】
0005456210.tif 000013
【図１３】
0005456210.tif 000014